(57)【要約】【課題】伸縮箸の構造を提供する。【解決手段】箸柱が箸胴枠に貫設され、箸胴枠の上方の開口に頂蓋が結合され、１対として使用される箸であって、箸胴枠が箸柱を貫設するための中空の部品で、下方の周縁において、所定の位置に内部へ向かう下定位突出が突設され、箸柱の上方に口径が箸胴枠より小さいが、密合段より大きい上端が設けられ、下方に挟み取り部が連接され、該上端の周縁の一側に箸柱の軸方向に平行する凹槽が形成され、該凹槽の上方に垂直的に連接されるように定位凹槽が形成され、その下方に上端を貫通する欠け口が形成される。【選択図】図１
0003130168.tif 000002
【実用新案登録請求の範囲】
【請求項１】
箸柱が箸胴枠に貫設され、箸胴枠の上方の開口に頂蓋が結合され、１対として使用される箸であって、
箸胴枠が、箸柱を貫設するための中空の部品で、下方の周縁において、所定の位置に、内部へ向かう下定位突出が突設され、
箸柱の上方に、口径が箸胴枠より小さいが、密合段より大きい上端が設けられ、下方に、挟み取り部が連接され、該上端の周縁の一側に、箸柱の軸方向に平行する凹槽が形成され、該凹槽の上方に、垂直的に連接されるように、定位凹槽が形成され、その下方に、上端を貫通する欠け口が形成され、
上記の構造により、箸柱が、箸胴枠の上方の開口から挿入され、全体的に箸胴枠の内部に収納され、また、頂蓋を箸胴枠の上方に嵌設することにより、箸胴枠の上方の開口が封止されて、箸柱が上方から脱離することがない、
ことを特徴とする伸縮箸の構造。
【請求項２】
箸胴枠の下方に、漸縮する錐部に連接されるやや小さい密合段が設けられることを特徴とする請求項１に記載の伸縮箸の構造。
【請求項３】
箸胴枠の上方周縁に、内部へ向かう上定位突出が突設されることを特徴とする請求項１に記載の伸縮箸の構造。
【請求項４】
挟み取り部の末段において、端部に、隆起状である凸縁が環設されることを特徴とする請求項１に記載の伸縮箸の構造。
【請求項５】
箸胴枠の上方の開口の下方に、Ｌ文字状の欠け口が形成され、また、頂蓋の周縁に、内部へ向かう係止突出が突設され、該係止突出が箸胴枠の欠け口に嵌設されることにより、頂蓋が脱離することがないことを特徴とする請求項１に記載の伸縮箸の構造。
【請求項６】
箸胴枠の欠け口の末端に、ストッパー部が形成され、該ストッパー部により、箸柱が外力を受けて縮めて頂蓋を上へ押す時、係止突出が嵌入されることにより、頂蓋が逆方向に回転されることなく、箸胴枠から分離することができないことを特徴とする請求項５に記載の伸縮箸の構造。
【考案の詳細な説明】
【技術分野】
【０００１】
本考案は、伸縮箸の構造に関し、特に伸長や短縮でき、また保管や携帯に便利である伸縮箸の構造に関する。
【背景技術】
【０００２】
東洋と西洋の食器が、多いに違い、西洋において、フォークとスプーンが利用されるが、東洋において、箸が使われ、箸の長さが長いため、良く外で食事をする人にとって、箸を携帯することが不便であり、また食堂の箸や使い捨て箸を使うと、清潔や衛生上の問題があり、また使い捨て箸を使用すると、ゴミ量が増加する問題がある。
【考案の開示】
【考案が解決しようとする課題】
【０００３】
本考案の主な目的は、箸柱が伸長や短縮でき、食べ物を挟み取ることや携帯や保管することが便利である伸縮箸の構造を提供する。
【０００４】
本考案の他の目的は、箸を短縮することにより、携帯に便利的であり、また良く外で食事をする人にとって、食堂が提供する箸や使い捨て箸を使わず、より安全的且つ衛生的そして環境保護的である伸縮箸の構造を提供する。
【０００５】
本考案の更に他の目的は、使用する時、箸柱を伸長して一側へ回転すると、確実に定位され、操作が簡単且つ快速である伸縮箸の構造を提供する。
【課題を解決するための手段】
【０００６】
請求項１の考案は、箸柱が箸胴枠に貫設され、箸胴枠の上方に頂蓋が結合され、１対として使用される箸であって、箸胴枠が、箸柱を貫設するための中空の部品で、下方の周縁において、所定の位置に、内部へ向かう下定位突出が突設され、箸柱の上方に、口径が箸胴枠より小さいが、密合段より大きい上端が設けられ、下方に、挟み取り部が連接され、該上端の周縁の一側に、箸柱の軸方向に平行する凹槽が形成され、該凹槽の上方に、垂直的に連接されるように、定位凹槽が形成され、その下方に、上端を貫通する欠け口が形成され、上記の構造により、箸柱が、箸胴枠の上方の開口から挿入され、全体的に箸胴枠の内部に収納され、また、頂蓋を箸胴枠の上方に嵌設することにより、箸胴枠の上方の開口が封止されて、箸柱が上方から脱離することがないことを特徴とする伸縮箸の構造である。
【０００７】
請求項２の考案は、箸胴枠の下方に、漸縮する錐部に連接されるやや小さい密合段が設けられることを特徴とする請求項１に記載の伸縮箸の構造である。
【０００８】
請求項３の考案は、箸胴枠の上方周縁に、内部へ向かう上定位突出が突設されることを特徴とする請求項１に記載の伸縮箸の構造である。
【０００９】
請求項４の考案は、挟み取り部の末段において、端部に隆起状である凸縁が環設されることを特徴とする請求項１に記載の伸縮箸の構造である。
【００１０】
請求項５の考案は、箸胴枠の上方の開口の下方に、Ｌ文字状の欠け口が形成され、また頂蓋の周縁に、内部へ向かう係止突出が突設され、該係止突出が箸胴枠の欠け口に嵌設されることにより、頂蓋が脱離することがないことを特徴とする請求項１に記載の伸縮箸の構造である。
【００１１】
請求項６の考案は、箸胴枠の欠け口の末端に、ストッパー部が形成され、該ストッパー部により、箸柱が力を受けて縮めて頂蓋を上へ押す時、係止突出が嵌入されることにより、頂蓋が逆方向に回転されることなく、箸胴枠から分離することができないことを特徴とする請求項５に記載の伸縮箸の構造である。
【考案を実施するための最良の形態】
【００１２】
図１と２を参照しながら、箸柱２０が箸胴枠１０に貫設され、箸胴枠１０の上方の開口に頂蓋３０が結合され、１対として使用される箸であって、箸胴枠１０は、箸柱２０を貫設するための中空の部品で、下方に、漸縮する錐部に連接されるやや小さい密合段１１が設けられ、該密合段１１は、上方の周縁において、所定の位置に、内部へ向かう下定位突出１２が突設され、箸胴枠１０は、上方の開口に、Ｌ文字状の欠け口１３が形成され、また周縁に、内部へ向かう上定位突出１４が突設され、箸柱２０は、上方に、口径が箸胴枠１０より小さいが、密合段１１より大きい上端２１が設けられ、下方に挟み取り部２２が連接され、また該上端２１の周縁の一側に、箸柱２０の軸方向に平行する凹槽２３が形成され、該凹槽２３は、上方に、垂直的に連接されるように、定位凹槽２４が形成され、下方に、上端２１に貫設される欠け口２５があり、また挟み取り部２２は、末段において、端部に、隆起状である凸縁２６が環設され、該凸縁２６の隆起高さは、箸全体の大きさに合わせて、使用する時、隆起高さが使用することに邪魔しないように決められ、また頂蓋３０は、内蓋縁が、箸胴枠１０に嵌設でき、また箸胴枠１０に密合できるように、箸胴枠１０の外径に対応し、また周縁に、内部へ向かう係止突出３１が突設され、該係止突出３１は、頂蓋３０が嵌設された後、箸胴枠１０の欠け口１３に嵌設されて、頂蓋３０が脱離することがない。
【００１３】
組立てる時、図１を参照しながら、箸柱２０は、箸胴枠１０の上方の開口から挿入され、全体が箸胴枠１０の内部に収納されるようになり、また頂蓋３０は、箸胴枠１０の上方に嵌設され、係止突出３１が、欠け口１３の縦方向部に沿って、下へ変位し、そして、欠け口１３の横方向部に入り込んで定位され、これにより、箸胴枠１０の上方の開口が封止されて、箸柱２０が上方から脱離することがない。
【００１４】
図３と４を参照しながら、使用する時、箸柱２０を引き出して伸長させてから、少しだけを回転すると、下定位突出１２が、欠け口２５に対向して欠け口２５に入り込み、そして凹槽２３に沿って上へ変位し、この時、箸柱２０は、更に伸長することができるが、下定位突出１２が変位して凹槽２３の上方に抵当することにより、箸柱２０を更に引き出すことができなくなり、そして箸柱２０を一側へ回転して下定位突出１２を定位凹槽２４に定位させると、箸柱２０が、伸長状態に保持され、挟み取り部２２で食べ物を挟み取ることができ、また下定位突出１２が抵当して定位されるため、箸柱２０が、食べ物を挟み取る時、箸胴枠１０の内部に縮むことがなく、また箸柱２０が引き出される状態下、挟み取り部２２の上段が、密合段１１に係合することにより、有効に、がたがた現象を防止でき、また食べ物を挟み取る時、より安定的且つ容易的になる。
【００１５】
図５を参照しながら、食べ物を挟み取る過程において、食べ物が下へ滑る現象が発生する場合、挟み取り部２２の末段の端部に、直接にストッパー作用を発揮する凸縁２６を形成しても良く、これにより、食べ物が凸縁２６により抵当されて下へ滑ることなく、そのため確実に食べ物を挟み取ることができ、また食べ物が下へ落ちることがなく、箸で食べ物を挟み取る時、より便利的且つ容易化になり、また食事の後、箸を洗浄してから、箸柱２０を逆方向に回転して押し戻すと、全体の長さが短縮され、また箸柱２０が押し戻されると、上定位突出１４が、スムーズに上端２１に係合され（図６を参照しながら）、これにより箸柱２０が、内部に定位されるため、箸を携帯や保管することが、より便利になる。
【００１６】
多数回に箸を使用することにより、箸胴枠１０と箸柱２０との間に、垢等が堆積される時、頂蓋３０を逆方向に回転して箸胴枠１０から分離し、そして、箸柱２０全体を上へ向かって引き出すと（図７と８を参照しながら）、綺麗にその外縁と箸胴枠１０の内壁を洗浄でき、また洗浄終了後、再び、箸柱２０を箸胴枠１０に貫設して頂蓋３０を嵌設することだけて、使用でき、また該伸縮箸は、携帯や保管する時、収納箱４０に収納されることができ、図９のように、汚染することがなく、より安全的且つ衛生的になる。
【００１７】
図１０を参照しながら、箸胴枠１０の欠け口１３の末端に、更に弧形状のストッパー部１５が形成されてよく、該ストッパー部１５により、箸柱２０が外力を受けて縮めて頂蓋３０を上へ押す時、係止突出３１が嵌入されることにより、頂蓋３０が逆方向に回転されることなく、箸胴枠１０から分離することがない。
【００１８】
上記の具体的な実施例の構造によれば、次の利点が得られる。
１、箸柱２０が伸長や短縮できるため、伸長や短縮でき、また保管や携帯に便利である。
２、箸を短縮して携帯することができるため、良く外で食事をする人にとって、食堂が提供する箸や使い捨て箸を使わず、より安全的且つ衛生的そして環境保護的である。
３、使用する時、箸柱２０を伸長して一側へ回転すると、確実に定位され、操作が簡単且つ快速である。
４、より進歩的かつより実用的である。
【００１９】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２０】
【図１】本考案の立体組立て図
【図２】本考案の立体分解図
【図３】本考案に係わる箸柱が引き出された時の状態図
【図４】本考案に係わる箸柱が引き出され、そして、回転されて定位される時の状態図
【図５】本考案に係わる凸縁により食べ物が下へ滑ることを防止する時の状態図
【図６】本考案に係わる箸柱が係止されて固定される時の状態図
【図７】本考案に係わる頂蓋が回転されて上方から分離される時の状態図
【図８】本考案に係わる箸柱が上方から引き出されて洗浄する時の状態図
【図９】本考案が収納箱に収納される時の状態図
【図１０】本考案の他の実施例図
【符号の説明】
【００２１】
１０        箸胴枠
１１        密合段
１２        下定位突出
１３        欠け口
１４        上定位突出
１５        ストッパー部
２０        箸柱
２１        上端
２２        挟み取り部
２３        凹槽
２４        定位凹槽
２５        欠け口
２６        凸縁
３０        頂蓋
３１        係止突出
４０        収納箱
【図１】
0003130168.tif 000003
【図２】
0003130168.tif 000004
【図３】
0003130168.tif 000005
【図４】
0003130168.tif 000006
【図５】
0003130168.tif 000007
【図６】
0003130168.tif 000008
【図７】
0003130168.tif 000009
【図８】
0003130168.tif 000010
【図９】
0003130168.tif 000011
【図１０】
0003130168.tif 000012